(57)【要約】【課題】本発明は展開できるメイクポーチを開示した。【解決手段】底板を含み、前記底板の頂部端面には置き台が左右に対称的にヒンジで連結されて取り付けられ、前記底板の頂部端面には第二サイド板が前後に対称的にヒンジで連結されて取り付けられ、前記底板と前記置き台と前記第二サイド板とが取り巻いて形成した内チャンバの中にはメイクポーチを広げて化粧品を収納できる展開収納部品が設けられ、前記展開収納部品は前記第一サイド板の一側端面に左右に対称的且つ固定的に取り付けられる第一位置制限板と、前記第二サイド板の一側端面に左右に対称的且つ固定的に取り付けられる第二位置制限板とを含む。【選択図】図１
2020179100.tif 000002
【特許請求の範囲】
【請求項１】
正面視で、底板を含み、前記底板の頂部端面には置き台が左右に対称的にヒンジで連結されて取り付けられ、前記底板の頂部端面には第二サイド板が前後に対称的にヒンジで連結されて取り付けられ、前記底板と前記置き台と前記第二サイド板とが取り巻いて形成した内チャンバの中にはメイクポーチを広げて化粧品を収納できる展開収納部品が設けられ、前記展開収納部品は前記第一サイド板の一側端面に左右に対称的且つ固定的に取り付けられる第一位置制限板と、前記第二サイド板の一側端面に左右に対称的且つ固定的に取り付けられる第二位置制限板とを含み、前記第一位置制限板と前記第一サイド板との間には第一スライド溝が設けられ、前記第二位置制限板と前記第二サイド板との間には第二スライド溝が設けられ、前記第一スライド溝と前記第二ライド溝の中には前記第一サイド板および前記第二サイド板を開けるまたは閉じるように制御することができる弾性スライドリングがスライドできるように取り付けられ、前記内チャンバの底壁にはさまざまな化粧品をきれいに置ける置き台が固定的に取り付けられ、前記弾性スライドリングの一側端面にはヒンジ連結板がヒンジで連結され、前記ヒンジ連結板の一側端面には化粧品を置ける布袋が固定的に設けられ、前記布袋と前記ヒンジ連結板の一側端面との間には前記布袋の中の化粧品を締め付けられる締付けベルトが固定的に連結され、前記ヒンジ連結板の前側端面にはスライド溝が設けられ、前記置き台の一側端面には前記ヒンジ連結板の回転を制御できる制御連結ロッドがヒンジで連結されて取り付けられ、前記制御連結ロッドの末端は前記スライド溝とスライドできるように係合され、前記第一サイド板を開けるとき、前記制御連結ロッドは前記ヒンジ連結板を引き動かして回転させ、前記ヒンジ連結板を垂直状態にさせ、前記布袋から化粧品を取り出しやすく、前記第一サイド板の左側端面にはカバーがヒンジで連結されて取り付けられ、前記カバーの右側末端にはメイクポーチを密封させるロック部品が設けられ、前記ロック部品は前記弾性スライドリングの右側端面に固定的に取り付けられるキーシリンダを含み、前記カバーの底部端面には下に開口したキーシリンダ溝が設けられ、前記キーシリンダ溝の前後内壁の間には前記キーシリンダ溝と連通するロックバックル溝が設けられ、前記ロックバックル溝の左右内壁の間には前記キーシリンダ溝とひっかかるロックバックルが左右対称的にヒンジで連結されて取り付けられ、前記ロックバックルと前記ロックバックル溝の一側内壁との間にはトーションバネが固定的に取り付けられることを特徴とする展開できるメイクポーチ。
【請求項２】
前記展開収納部品はまた前記置き台の中に設けられる置きコンパートメントを含み、前記第一サイド板と前記第二サイド板の外側端面にはカバー布が固定的に設けられ、前記カバー布にはファスナーが設けられ、ファスナーが開けられた後、弾性スライドリングは下方へ運動し、第一サイド板と第二サイド板が広げられ、前記制御連結ロッドを制御して前記ヒンジ連結板を引き動かして回転させ、前記ヒンジ連結板を垂直状態にさせ、置きコンパートメントの中には化粧品をきれいに置くことができ、布袋の中には化粧品を置くことができ、締め付けベルトによって布袋の中の化粧品を締め付けることを特徴とする請求項１に記載の展開できるメイクポーチ。
【請求項３】
前記ロック部品はまた前記キーシリンダ溝の上側に設けられる第一スライダーチャンバを含み、前記第一スライダーチャンバと前記カバーの頂部端面との間にはボタンが固定的にスライドできるように取り付けられ、前記ボタンの底部端面には押しブロックが固定的に取り付けられ、前記押しブロックの前後両側には第二スライダーチャンバが前後に対称的に設けられ、前記第二スライダーチャンバと前記第一スライダーチャンバとの間には第一スライダーがスライドできるように取り付けられ、前記第一スライダーは前記押しブロックとスライドできるように取り付け、前記第二スライダーチャンバと前記ロックバックル溝との間には第二スライダーがスライドできるように取り付けられ、前記第二スライダーは前記第一スライダーとスライドできるように取り付け、前記第二スライダーは前記ロックバックルと接触することができ、前記第一サイド板の左右端面の間にはキーシリンダスライド溝が設けられ、前記キーシリンダは前記キーシリンダスライド溝とスライドできるように取り付け、これにより、キーシリンダをキーシリンダ溝の中に押し込み、キーシリンダ溝がキーシリンダとひっかかった後、メイクポーチがロックされ、開けるとき、ボタンを押し、ボタンは押しブロックを押し動かして下方に運動させ、押しブロックは下方に移動して第一スライダーを押し動かして前後両側にスライドさせ、第一スライダーは第二スライダーを押し動かして下方にスライドさせ、第二スライダーはロックバックルを下方に押し動かして回転させ、キーシリンダをキーシリンダ溝から取り出すことができ、メイクポーチのロックが解除されて開けられることを特徴とする請求項１に記載の展開できるメイクポーチ。
【発明の詳細な説明】
【技術分野】
【０００１】
本発明は化粧用品分野を取り上げて、具体的には展開できるメイクポーチである。
【背景技術】
【０００２】
家庭用メイクポーチはたくさんの化粧品を収納する袋であるため、メイクポーチ体積が非常に大きく、メイクポーチが大きくなった後、内部の化粧品の取り扱いが非常に不便で、そして、多くのメイクポーチの内部には化粧品を収納する仕切りが少なく、配置を乱雑にし、見つけにくく、整っていない。
【先行技術文献】
【特許文献】
【０００３】
【特許文献１】中国特許出願公開第108451127号明細書
【発明の概要】
【発明が解決しようとする課題】
【０００４】
本発明の目的は展開できるメイクポーチを提供し、それは上記の現在の技術中の問題を解決できる。
【課題を解決するための手段】
【０００５】
上記の課題を解決するため、本発明は以下の技術プランを採用する：底板を含み、前記底板の頂部端面には置き台が左右に対称的にヒンジで連結されて取り付けられ、前記底板の頂部端面には第二サイド板が前後に対称的にヒンジで連結されて取り付けられ、前記底板と前記置き台と前記第二サイド板とが取り巻いて形成した内チャンバの中にはメイクポーチを広げて化粧品を収納できる展開収納部品が設けられ、前記展開収納部品は前記第一サイド板の一側端面に左右に対称的且つ固定的に取り付けられる第一位置制限板と、前記第二サイド板の一側端面に左右に対称的且つ固定的に取り付けられる第二位置制限板とを含み、前記第一位置制限板と前記第一サイド板との間には第一スライド溝が設けられ、前記第二位置制限板と前記第二サイド板との間には第二スライド溝が設けられ、前記第一スライド溝と前記第二ライド溝の中には前記第一サイド板および前記第二サイド板を開けるまたは閉じるように制御することができる弾性スライドリングがスライドできるように取り付けられ、前記内チャンバの底壁にはさまざまな化粧品をきれいに置ける置き台が固定的に取り付けられ、前記弾性スライドリングの一側端面にはヒンジ連結板がヒンジで連結され、前記ヒンジ連結板の一側端面には化粧品を置ける布袋が固定的に設けられ、前記布袋と前記ヒンジ連結板の一側端面との間には前記布袋の中の化粧品を締め付けられる締付けベルトが固定的に連結され、前記ヒンジ連結板の前側端面にはスライド溝が設けられ、前記置き台の一側端面には前記ヒンジ連結板の回転を制御できる制御連結ロッドがヒンジで連結されて取り付けられ、前記制御連結ロッドの末端は前記スライド溝とスライドできるように係合され、前記第一サイド板を開けるとき、前記制御連結ロッドは前記ヒンジ連結板を引き動かして回転させ、前記ヒンジ連結板を垂直状態にさせ、前記布袋から化粧品を取り出しやすく、前記第一サイド板の左側端面にはカバーがヒンジで連結されて取り付けられ、前記カバーの右側末端にはメイクポーチを密封させるロック部品が設けられ、前記ロック部品は前記弾性スライドリングの右側端面に固定的に取り付けられるキーシリンダを含み、前記カバーの底部端面には下に開口したキーシリンダ溝が設けられ、前記キーシリンダ溝の前後内壁の間には前記キーシリンダ溝と連通するロックバックル溝が設けられ、前記ロックバックル溝の左右内壁の間には前記キーシリンダ溝とひっかかるロックバックルが左右対称的にヒンジで連結されて取り付けられ、前記ロックバックルと前記ロックバックル溝の一側内壁との間にはトーションバネが固定的に取り付けられる。
【０００６】
優選的には、前記展開収納部品はまた前記置き台の中に設けられる置きコンパートメントを含み、前記第一サイド板と前記第二サイド板の外側端面にはカバー布が固定的に設けられ、前記カバー布にはファスナーが設けられる。
【０００７】
優選的には、前記ロック部品はまた前記キーシリンダ溝の上側に設けられる第一スライダーチャンバを含み、前記第一スライダーチャンバと前記カバーの頂部端面との間にはボタンが固定的にスライドできるように取り付けられ、前記ボタンの底部端面には押しブロックが固定的に取り付けられ、前記押しブロックの前後両側には第二スライダーチャンバが前後に対称的に設けられ、前記第二スライダーチャンバと前記第一スライダーチャンバとの間には第一スライダーがスライドできるように取り付けられ、前記第一スライダーは前記押しブロックとスライドできるように取り付け、前記第二スライダーチャンバと前記ロックバックル溝との間には第二スライダーがスライドできるように取り付けられ、前記第二スライダーは前記第一スライダーとスライドできるように取り付け、前記第二スライダーは前記ロックバックルと接触することができ、前記第一サイド板の左右端面の間にはキーシリンダスライド溝が設けられ、前記キーシリンダは前記キーシリンダスライド溝とスライドできるように取り付ける。
【発明の効果】
【０００８】
本発明の有益な効果は：本発明は、メイクポーチの内側の収納スペースを拡張する上に、内部の化粧品がきちんと整然と収納されることを保証することができ、次の使用に便利を与え、メイクポーチは完全に広げることができ、化粧中に様々な化粧品を取り扱うことを容易にし、家庭での使用に適しており、宣伝する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成略図
【図２】図２は本発明の図１のＡ―Ａ方向の断面構成図
【図３】図３は本発明の図１のＢ―Ｂ方向の断面構成図
【発明を実施するための形態】
【００１１】
図１〜３を参照し、本発明の展開できるメイクポーチは、底板１０を含み、前記底板１０の頂部端面には置き台１４が左右に対称的にヒンジで連結されて取り付けられ、前記底板１０の頂部端面には第二サイド板２１が前後に対称的にヒンジで連結されて取り付けられ、前記底板１０と前記置き台１４と前記第二サイド板２１とが取り巻いて形成した内チャンバ４５の中にはメイクポーチを広げて化粧品を収納できる展開収納部品８０が設けられ、前記展開収納部品８０は前記第一サイド板１１の一側端面に左右に対称的且つ固定的に取り付けられる第一位置制限板１２と、前記第二サイド板２１の一側端面に左右に対称的且つ固定的に取り付けられる第二位置制限板４０とを含み、前記第一位置制限板１２と前記第一サイド板１１との間には第一スライド溝４６が設けられ、前記第二位置制限板４０と前記第二サイド板２１との間には第二スライド溝４７が設けられ、前記第一スライド溝４６と前記第二ライド溝４７の中には前記第一サイド板１１および前記第二サイド板２１を開けるまたは閉じるように制御することができる弾性スライドリング１８がスライドできるように取り付けられ、前記内チャンバ４５の底壁にはさまざまな化粧品をきれいに置ける置き台１４が固定的に取り付けられ、前記弾性スライドリング１８の一側端面にはヒンジ連結板１５がヒンジで連結され、前記ヒンジ連結板１５の一側端面には化粧品を置ける布袋１７が固定的に設けられ、前記布袋１７と前記ヒンジ連結板１５の一側端面との間には前記布袋１７の中の化粧品を締め付けられる締付けベルト２２が固定的に連結され、前記ヒンジ連結板１５の前側端面にはスライド溝１６が設けられ、前記置き台１４の一側端面には前記ヒンジ連結板１５の回転を制御できる制御連結ロッド１３がヒンジで連結されて取り付けられ、前記制御連結ロッド１３の末端は前記スライド溝１６とスライドできるように係合され、前記第一サイド板１１を開けるとき、前記制御連結ロッド１３は前記ヒンジ連結板１５を引き動かして回転させ、前記ヒンジ連結板１５を垂直状態にさせ、前記布袋１７から化粧品を取り出しやすく、前記第一サイド板１１の左側端面にはカバー１９がヒンジで連結されて取り付けられ、前記カバー１９の右側末端にはメイクポーチを密封させるロック部品８１が設けられ、前記ロック部品８１は前記弾性スライドリング１８の右側端面に固定的に取り付けられるキーシリンダ２５を含み、前記カバー１９の底部端面には下に開口したキーシリンダ溝２６が設けられ、前記キーシリンダ溝２６の前後内壁の間には前記キーシリンダ溝２６と連通するロックバックル溝２７が設けられ、前記ロックバックル溝２７の左右内壁の間には前記キーシリンダ溝２６とひっかかるロックバックル２８が左右対称的にヒンジで連結されて取り付けられ、前記ロックバックル２８と前記ロックバックル溝２７の一側内壁との間にはトーションバネ２９が固定的に取り付けられる。
【００１２】
前記展開収納部品８０はまた前記置き台１４の中に設けられる置きコンパートメント３９を含み、前記第一サイド板１１と前記第二サイド板２１の外側端面にはカバー布３７が固定的に設けられ、前記カバー布３７にはファスナー３８が設けられ、ファスナー３８が開けられた後、弾性スライドリング１８は下方へ運動し、第一サイド板１１と第二サイド板２１が広げられ、前記制御連結ロッド１３を制御して前記ヒンジ連結板１５を引き動かして回転させ、前記ヒンジ連結板１５を垂直状態にさせ、置きコンパートメント３９の中には化粧品をきれいに置くことができ、布袋１７の中には化粧品を置くことができ、締め付けベルト２２によって布袋１７の中の化粧品を締め付ける。
【００１３】
前記ロック部品８１はまた前記キーシリンダ溝２６の上側に設けられる第一スライダーチャンバ３３を含み、前記第一スライダーチャンバ３３と前記カバー１９の頂部端面との間にはボタン３５が固定的にスライドできるように取り付けられ、前記ボタン３５の底部端面には押しブロック３４が固定的に取り付けられ、前記押しブロック３４の前後両側には第二スライダーチャンバ３１が前後に対称的に設けられ、前記第二スライダーチャンバ３１と前記第一スライダーチャンバ３３との間には第一スライダー３２がスライドできるように取り付けられ、前記第一スライダー３２は前記押しブロック３４とスライドできるように取り付け、前記第二スライダーチャンバ３１と前記ロックバックル溝２７との間には第二スライダー３０がスライドできるように取り付けられ、前記第二スライダー３０は前記第一スライダー３２とスライドできるように取り付け、前記第二スライダー３０は前記ロックバックル２８と接触することができ、前記第一サイド板１１の左右端面の間にはキーシリンダスライド溝２４が設けられ、前記キーシリンダ２５は前記キーシリンダスライド溝２４とスライドできるように取り付け、これにより、キーシリンダ２５をキーシリンダ溝２６の中に押し込み、キーシリンダ溝２６がキーシリンダ２５とひっかかった後、メイクポーチがロックされ、開けるとき、ボタン３５を押し、ボタン３５は押しブロック３４を押し動かして下方に運動させ、押しブロック３４は下方に移動して第一スライダー３２を押し動かして前後両側にスライドさせ、第一スライダー３２は第二スライダー３０を押し動かして下方にスライドさせ、第二スライダー３０はロックバックル２８を下方に押し動かして回転させ、キーシリンダ２５をキーシリンダ溝２６から取り出すことができ、メイクポーチのロックが解除されて開けられる。
【００１４】
利用するとき：開ける場合、ボタン３５を押すと、ボタン３５が押しブロック３４を押し動かして下方に移動させ、押しブロック３４は下方に移動して第一スライダー３２を押し動かして前後両側にスライドさせ、第一スライダー３２は第二スライダー３０を押し動かして下方にスライドさせ、第二スライダー３０はロックバックル２８を下方に押し動かして回転させ、キーシリンダ２５をキーシリンダ溝２６から取り出すことができ、メイクポーチのロックが解除されて開けられ、ファスナー３８が開けられた後、弾性スライドリング１８は下方へ運動し、第一サイド板１１と第二サイド板２１が広げられ、前記制御連結ロッド１３は前記ヒンジ連結板１５を引き動かして回転させ、ヒンジ連結板１５を垂直状態にさせ、置きコンパートメント３９の中には化粧品をきれいに置くことができ、布袋１７の中には化粧品を置くことができ、締め付けベルト２２は布袋１７の中の化粧品を締め付け、使い終わった後、第一サイド板１１と第二サイド板２１が上方に翻転してファスナー３８を締め、弾性スライドリング１８を上にスライドさせ、キーシリンダ２５をキーシリンダ溝２６に押し込み、キーシリンダ溝２６がキーシリンダ２５に引っかかった後、メイクポーチを密封してロックする。
【００１５】
本発明の有益な効果は：本発明は、メイクポーチの内側の収納スペースを拡張する上に、内部の化粧品がきちんと整然と収納されることを保証することができ、次の使用に便利を与え、メイクポーチは完全に広げることができ、化粧中に様々な化粧品を取り扱うことを容易にし、家庭での使用に適しており、宣伝する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179100.tif 000003
【図２】
2020179100.tif 000004
【図３】
2020179100.tif 000005
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
正面視で、底板を含み、前記底板の頂部端面には第一サイド板が左右に対称的にヒンジで連結されて取り付けられ、前記底板の頂部端面には第二サイド板が前後に対称的にヒンジで連結されて取り付けられ、前記底板と前記第一サイド板と前記第二サイド板とが取り巻いて形成した内チャンバの中にはメイクポーチを広げて化粧品を収納できる展開収納部品が設けられ、前記展開収納部品は前記第一サイド板において対向した側の端面に前後対称に且つ固定的に装着された第一位置制限板と、前記第二サイド板において対向した側の端面に左右対称に且つ固定的に装着された第二位置制限板とを含み、前記第一位置制限板と前記第一サイド板との間には第一スライド溝が設けられ、前記第二位置制限板と前記第二サイド板との間には第二スライド溝が設けられ、前記第一スライド溝と前記第二ライド溝の中には前記第一サイド板および前記第二サイド板を開けるまたは閉じるように制御することができる弾性スライドリングがスライドできるように取り付けられ、前記内チャンバの底壁にはさまざまな化粧品をきれいに置ける置き台が固定的に取り付けられ、前記第一位置制限板において対向した側の端面にはヒンジ連結板がヒンジで連結され、左側の前記ヒンジ連結板の左上端面と右側の前記ヒンジ連結板の右上端面には化粧品を置ける布袋がそれぞれ固定的に設けられ、前記布袋と前記ヒンジ連結板の一側端面との間には前記布袋の中の化粧品を締め付けられる締付けベルトが固定的に連結され、前記ヒンジ連結板の前側端面にはスライド溝が設けられ、前記置き台の前側端面には前記ヒンジ連結板の回転を制御できる制御連結ロッドがヒンジで連結されて取り付けられ、前記制御連結ロッドの末端は前記スライド溝とスライドできるように係合され、前記第一サイド板を開けるとき、前記制御連結ロッドは前記ヒンジ連結板を引き動かして回転させ、前記ヒンジ連結板を垂直状態にさせ、前記布袋から化粧品を取り出しやすく、前記第一サイド板の左側端面にはカバーがヒンジで連結されて取り付けられ、前記カバーの右側末端にはメイクポーチを密封させるロック部品が設けられ、前記ロック部品は前記弾性スライドリングの右側端面に固定的に取り付けられるキーシリンダを含み、前記カバーの底部端面の内部には下に開口したキーシリンダ溝が設けられ、前記キーシリンダ溝の前後内壁の間には前記キーシリンダ溝と連通するロックバックル溝が設けられ、前記ロックバックル溝の左右内壁の間には前記キーシリンダ溝とひっかかるロックバックルが左右対称的にヒンジで連結されて取り付けられ、前記ロックバックルと前記ロックバックル溝の一側内壁との間にはトーションバネが固定的に取り付けられることを特徴とする展開できるメイクポーチ。
【請求項２】
前記展開収納部品はまた前記置き台の中に設けられる置きコンパートメントを含み、前記第一サイド板の前後両端と前記第二サイド板の左右両端にはカバー布が固定的に設けられ、隣接した前記カバー布の間にはファスナーが設けられ、ファスナーが開けられた後、弾性スライドリングは下方へ運動し、第一サイド板と第二サイド板が広げられ、前記制御連結ロッドを制御して前記ヒンジ連結板を引き動かして回転させ、前記ヒンジ連結板を垂直状態にさせ、置きコンパートメントの中には化粧品をきれいに置くことができ、布袋の中には化粧品を置くことができ、締め付けベルトによって布袋の中の化粧品を締め付けることを特徴とする請求項１に記載の展開できるメイクポーチ。
【請求項３】
前記ロック部品はまた前記キーシリンダ溝の上側に設けられる第一スライダーチャンバを含み、前記第一スライダーチャンバと前記カバーの頂部端面との間にはボタンがスライドできるように取り付けられ、前記ボタンの底部端面には押しブロックが固定的に取り付けられ、前記押しブロックの前後両側には第二スライダーチャンバが対称に設けられ、前記第二スライダーチャンバと前記第一スライダーチャンバとの間には第一スライダーがスライドできるように取り付けられ、前記第一スライダーは前記押しブロックとスライドできるように取り付け、前記第二スライダーチャンバと前記ロックバックル溝との間には第二スライダーがスライドできるように取り付けられ、前記第二スライダーは前記第一スライダーとスライドできるように取り付け、前記第二スライダーは前記ロックバックルと接触することができ、右側の前記第一サイド板の左右端面の間にはキーシリンダスライド溝が右側の前記第一サイド板を貫通するように設けられ、前記キーシリンダは前記キーシリンダスライド溝とスライドできるように取り付け、これにより、キーシリンダをキーシリンダ溝の中に押し込み、キーシリンダがキーシリンダ溝の中でロックされた後、メイクポーチがロックされ、開けるとき、ボタンを押し、ボタンは押しブロックを押し動かして下方に運動させ、押しブロックは下方に移動して第一スライダーを押し動かして前後両側にスライドさせ、第一スライダーは第二スライダーを押し動かして下方にスライドさせ、第二スライダーはロックバックルを下方に押し動かして回転させ、キーシリンダをキーシリンダ溝から取り出すことができ、メイクポーチのロックが解除されて開けられることを特徴とする請求項１に記載の展開できるメイクポーチ。
【手続補正２】
【補正対象書類名】明細書
【補正対象項目名】全文
【補正方法】変更
【補正の内容】
【発明の詳細な説明】
【技術分野】
【０００１】
本発明は化粧用品分野を取り上げて、具体的には展開できるメイクポーチである。
【背景技術】
【０００２】
家庭用メイクポーチはたくさんの化粧品を収納する袋であるため、メイクポーチ体積が非常に大きく、メイクポーチが大きくなった後、内部の化粧品の取り扱いが非常に不便で、そして、多くのメイクポーチの内部には化粧品を収納する仕切りが少なく、配置を乱雑にし、見つけにくく、整っていない。
【先行技術文献】
【特許文献】
【０００３】
【特許文献１】中国特許出願公開第１０８４５１１２７号明細書
【発明の概要】
【発明が解決しようとする課題】
【０００４】
本発明の目的は展開できるメイクポーチを提供し、それは上記の現在の技術中の問題を解決できる。
【課題を解決するための手段】
【０００５】
上記の課題を解決するため、本発明は以下の技術プランを採用する：底板を含み、前記底板の頂部端面には第一サイド板が左右に対称的にヒンジで連結されて取り付けられ、前記底板の頂部端面には第二サイド板が前後に対称的にヒンジで連結されて取り付けられ、前記底板と前記第一サイド板と前記第二サイド板とが取り巻いて形成した内チャンバの中にはメイクポーチを広げて化粧品を収納できる展開収納部品が設けられ、前記展開収納部品は前記第一サイド板において対向した側の端面に前後対称に且つ固定的に装着された第一位置制限板と、前記第二サイド板において対向した側の端面に左右対称に且つ固定的に装着された第二位置制限板とを含み、前記第一位置制限板と前記第一サイド板との間には第一スライド溝が設けられ、前記第二位置制限板と前記第二サイド板との間には第二スライド溝が設けられ、前記第一スライド溝と前記第二ライド溝の中には前記第一サイド板および前記第二サイド板を開けるまたは閉じるように制御することができる弾性スライドリングがスライドできるように取り付けられ、前記内チャンバの底壁にはさまざまな化粧品をきれいに置ける置き台が固定的に取り付けられ、前記第一位置制限板において対向した側の端面にはヒンジ連結板がヒンジで連結され、左側の前記ヒンジ連結板の左上端面と右側の前記ヒンジ連結板の右上端面には化粧品を置ける布袋がそれぞれ固定的に設けられ、前記布袋と前記ヒンジ連結板の一側端面との間には前記布袋の中の化粧品を締め付けられる締付けベルトが固定的に連結され、前記ヒンジ連結板の前側端面にはスライド溝が設けられ、前記置き台の前側端面には前記ヒンジ連結板の回転を制御できる制御連結ロッドがヒンジで連結されて取り付けられ、前記制御連結ロッドの末端は前記スライド溝とスライドできるように係合され、前記第一サイド板を開けるとき、前記制御連結ロッドは前記ヒンジ連結板を引き動かして回転させ、前記ヒンジ連結板を垂直状態にさせ、前記布袋から化粧品を取り出しやすく、前記第一サイド板の左側端面にはカバーがヒンジで連結されて取り付けられ、前記カバーの右側末端にはメイクポーチを密封させるロック部品が設けられ、前記ロック部品は前記弾性スライドリングの右側端面に固定的に取り付けられるキーシリンダを含み、前記カバーの底部端面の内部には下に開口したキーシリンダ溝が設けられ、前記キーシリンダ溝の前後内壁の間には前記キーシリンダ溝と連通するロックバックル溝が設けられ、前記ロックバックル溝の左右内壁の間には前記キーシリンダ溝とひっかかるロックバックルが左右対称的にヒンジで連結されて取り付けられ、前記ロックバックルと前記ロックバックル溝の一側内壁との間にはトーションバネが固定的に取り付けられる。
【０００６】
優選的には、前記展開収納部品はまた前記置き台の中に設けられる置きコンパートメントを含み、前記第一サイド板の前後両端と前記第二サイド板の左右両端にはカバー布が固定的に設けられ、隣接した前記カバー布の間にはファスナーが設けられる。
【０００７】
優選的には、前記ロック部品はまた前記キーシリンダ溝の上側に設けられる第一スライダーチャンバを含み、前記第一スライダーチャンバと前記カバーの頂部端面との間にはボタンがスライドできるように取り付けられ、前記ボタンの底部端面には押しブロックが固定的に取り付けられ、前記押しブロックの前後両側には第二スライダーチャンバが対称に設けられ、前記第二スライダーチャンバと前記第一スライダーチャンバとの間には第一スライダーがスライドできるように取り付けられ、前記第一スライダーは前記押しブロックとスライドできるように取り付け、前記第二スライダーチャンバと前記ロックバックル溝との間には第二スライダーがスライドできるように取り付けられ、前記第二スライダーは前記第一スライダーとスライドできるように取り付け、前記第二スライダーは前記ロックバックルと接触することができ、右側の前記第一サイド板の左右端面の間にはキーシリンダスライド溝が右側の前記第一サイド板を貫通するように設けられ、前記キーシリンダは前記キーシリンダスライド溝とスライドできるように取り付ける。
【発明の効果】
【０００８】
本発明の有益な効果は：本発明は、メイクポーチの内側の収納スペースを拡張する上に、内部の化粧品がきちんと整然と収納されることを保証することができ、次の使用に便利を与え、メイクポーチは完全に広げることができ、化粧中に様々な化粧品を取り扱うことを容易にし、家庭での使用に適しており、宣伝する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成略図
【図２】図２は本発明の図１のＡ―Ａ方向の断面構成図
【図３】図３は本発明の図１のＢ―Ｂ方向の断面構成図
【発明を実施するための形態】
【００１１】
図１〜３を参照し、本発明の展開できるメイクポーチは、底板１０を含み、前記底板１０の頂部端面には第一サイド板１１が左右に対称的にヒンジで連結されて取り付けられ、前記底板１０の頂部端面には第二サイド板２１が前後に対称的にヒンジで連結されて取り付けられ、前記底板１０と前記第一サイド板１１と前記第二サイド板２１とが取り巻いて形成した内チャンバ４５の中にはメイクポーチを広げて化粧品を収納できる展開収納部品８０が設けられ、前記展開収納部品８０は前記第一サイド板１１において対向した側の端面に前後対称に且つ固定的に装着された第一位置制限板１２と、前記第二サイド板２１において対向した側の端面に左右対称に且つ固定的に装着された第二位置制限板４０とを含み、前記第一位置制限板１２と前記第一サイド板１１との間には第一スライド溝４６が設けられ、前記第二位置制限板４０と前記第二サイド板２１との間には第二スライド溝４７が設けられ、前記第一スライド溝４６と前記第二ライド溝４７の中には前記第一サイド板１１および前記第二サイド板２１を開けるまたは閉じるように制御することができる弾性スライドリング１８がスライドできるように取り付けられ、前記内チャンバ４５の底壁にはさまざまな化粧品をきれいに置ける置き台１４が固定的に取り付けられ、前記第一位置制限板１２において対向した側の端面にはヒンジ連結板１５がヒンジで連結され、左側の前記ヒンジ連結板１５の左上端面と右側の前記ヒンジ連結板１５の右上端面には化粧品を置ける布袋１７がそれぞれ固定的に設けられ、前記布袋１７と前記ヒンジ連結板１５の一側端面との間には前記布袋１７の中の化粧品を締め付けられる締付けベルト２２が固定的に連結され、前記ヒンジ連結板１５の前側端面にはスライド溝１６が設けられ、前記置き台１４の前側端面には前記ヒンジ連結板１５の回転を制御できる制御連結ロッド１３がヒンジで連結されて取り付けられ、前記制御連結ロッド１３の末端は前記スライド溝１６とスライドできるように係合され、前記第一サイド板１１を開けるとき、前記制御連結ロッド１３は前記ヒンジ連結板１５を引き動かして回転させ、前記ヒンジ連結板１５を垂直状態にさせ、前記布袋１７から化粧品を取り出しやすく、前記第一サイド板１１の左側端面にはカバー１９がヒンジで連結されて取り付けられ、前記カバー１９の右側末端にはメイクポーチを密封させるロック部品８１が設けられ、前記ロック部品８１は前記弾性スライドリング１８の右側端面に固定的に取り付けられるキーシリンダ２５を含み、前記カバー１９の底部端面の内部には下に開口したキーシリンダ溝２６が設けられ、前記キーシリンダ溝２６の前後内壁の間には前記キーシリンダ溝２６と連通するロックバックル溝２７が設けられ、前記ロックバックル溝２７の左右内壁の間には前記キーシリンダ溝２６とひっかかるロックバックル２８が左右対称的にヒンジで連結されて取り付けられ、前記ロックバックル２８と前記ロックバックル溝２７の一側内壁との間にはトーションバネ２９が固定的に取り付けられる。
【００１２】
前記展開収納部品８０はまた前記置き台１４の中に設けられる置きコンパートメント３９を含み、前記第一サイド板１１の前後両端と前記第二サイド板２１の左右両端にはカバー布３７が固定的に設けられ、隣接した前記カバー布３７の間にはファスナー３８が設けられ、ファスナー３８が開けられた後、弾性スライドリング１８は下方へ運動し、第一サイド板１１と第二サイド板２１が広げられ、前記制御連結ロッド１３を制御して前記ヒンジ連結板１５を引き動かして回転させ、前記ヒンジ連結板１５を垂直状態にさせ、置きコンパートメント３９の中には化粧品をきれいに置くことができ、布袋１７の中には化粧品を置くことができ、締め付けベルト２２によって布袋１７の中の化粧品を締め付ける。
【００１３】
前記ロック部品８１はまた前記キーシリンダ溝２６の上側に設けられる第一スライダーチャンバ３３を含み、前記第一スライダーチャンバ３３と前記カバー１９の頂部端面との間にはボタン３５がスライドできるように取り付けられ、前記ボタン３５の底部端面には押しブロック３４が固定的に取り付けられ、前記押しブロックの前後両側には第二スライダーチャンバが対称に設けられ、前記第二スライダーチャンバ３１と前記第一スライダーチャンバ３３との間には第一スライダー３２がスライドできるように取り付けられ、前記第一スライダー３２は前記押しブロック３４とスライドできるように取り付け、前記第二スライダーチャンバ３１と前記ロックバックル溝２７との間には第二スライダー３０がスライドできるように取り付けられ、前記第二スライダー３０は前記第一スライダー３２とスライドできるように取り付け、前記第二スライダー３０は前記ロックバックル２８と接触することができ、右側の前記第一サイド板１１の左右端面の間にはキーシリンダスライド溝２４が右側の前記第一サイド板１１を貫通するように設けられ、前記キーシリンダ２５は前記キーシリンダスライド溝２４とスライドできるように取り付け、これにより、キーシリンダ２５をキーシリンダ溝２６の中に押し込み、キーシリンダ２５がキーシリンダ溝２６の中でロックされた後、メイクポーチがロックされ、開けるとき、ボタン３５を押し、ボタン３５は押しブロック３４を押し動かして下方に運動させ、押しブロック３４は下方に移動して第一スライダー３２を押し動かして前後両側にスライドさせ、第一スライダー３２は第二スライダー３０を押し動かして下方にスライドさせ、第二スライダー３０はロックバックル２８を下方に押し動かして回転させ、キーシリンダ２５をキーシリンダ溝２６から取り出すことができ、メイクポーチのロックが解除されて開けられる。
【００１４】
利用するとき：開ける場合、ボタン３５を押すと、ボタン３５が押しブロック３４を押し動かして下方に移動させ、押しブロック３４は下方に移動して第一スライダー３２を押し動かして前後両側にスライドさせ、第一スライダー３２は第二スライダー３０を押し動かして下方にスライドさせ、第二スライダー３０はロックバックル２８を下方に押し動かして回転させ、キーシリンダ２５をキーシリンダ溝２６から取り出すことができ、メイクポーチのロックが解除されて開けられ、ファスナー３８が開けられた後、弾性スライドリング１８は下方へ運動し、第一サイド板１１と第二サイド板２１が広げられ、前記制御連結ロッド１３は前記ヒンジ連結板１５を引き動かして回転させ、ヒンジ連結板１５を垂直状態にさせ、置きコンパートメント３９の中には化粧品をきれいに置くことができ、布袋１７の中には化粧品を置くことができ、締め付けベルト２２は布袋１７の中の化粧品を締め付け、使い終わった後、第一サイド板１１と第二サイド板２１が上方に翻転してファスナー３８を締め、弾性スライドリング１８を上にスライドさせ、キーシリンダ２５をキーシリンダ溝２６に押し込み、キーシリンダ溝２６がキーシリンダ２５に引っかかった後、メイクポーチを密封してロックする。
【００１５】
本発明の有益な効果は：本発明は、メイクポーチの内側の収納スペースを拡張する上に、内部の化粧品がきちんと整然と収納されることを保証することができ、次の使用に便利を与え、メイクポーチは完全に広げることができ、化粧中に様々な化粧品を取り扱うことを容易にし、家庭での使用に適しており、宣伝する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。